(57)【特許請求の範囲】
【請求項１】
第一の錠前と第二の錠前を有して構成された錠前制御システムであって、
前記第一の錠前が解錠状態かつ前記第二の錠前が施錠状態の第一の状態と、
前記第一の錠前が前記解錠状態かつ前記第二の錠前が解錠状態の第二の状態と、
前記第一の錠前が施錠状態かつ前記第二の錠前が前記解錠状態の第三の状態と、を有し、
前記第一の状態において、前記施錠状態の前記第二の錠前は、前記第一の錠前が前記解錠状態から前記施錠状態に移行するのを阻止するように構成され、
前記第二の錠前を鍵で解錠することで前記第一の状態を前記第二の状態に移行させた場合に、前記解錠状態の前記第一の錠前は、前記第二の錠前を前記解錠状態に維持したまま該第二の錠前の鍵穴から前記鍵が抜かれることを阻止するように構成され、
前記第一の錠前を施錠することで前記第二の状態を前記第三の状態に移行させた場合に、前記施錠状態の前記第一の錠前は、前記第二の錠前を前記解錠状態に維持したまま該第二の錠前の前記鍵穴から前記鍵が抜かれることを許容するように構成されている、
ことを特徴とする錠前制御システム。
【請求項２】
請求項１に記載の錠前制御システムであって、
前記第二の錠前は、扉の閉鎖を少なくとも検知可能な扉センスを備え、
前記第二の錠前は、前記扉センスによって前記扉の閉鎖を検知した場合に、前記解錠状態から前記施錠状態に移行するように構成されている、
ことを特徴とする錠前制御システム。
【請求項３】
請求項１または２に記載の錠前制御システムであって、
前記第一の錠前は、ダイヤル錠である、
ことを特徴とする錠前制御システム。
【発明の詳細な説明】
【技術分野】
【０００１】
本発明は、錠前制御システムおよび錠前制御装置に関する。
【背景技術】
【０００２】
従来、錠前制御装置の一つとして、閉扉状態で操作許可体の挿入が可能で、かつ、挿入された操作許可体を目視可能な許可体受容部と、操作許可体未挿入状態でロッカー扉を仮施錠し、操作許容体挿入により仮施錠状態を解除可能な仮施錠体と、を有するロッカー錠制御装置が提案されている。（例えば、特許文献１参照）。
【先行技術文献】
【特許文献】
【０００３】
【特許文献１】特開２００２−３３２７６５号公報
【発明の概要】
【発明が解決しようとする課題】
【０００４】
しかしながら、従来のロッカー錠制御装置は、操作許容体によりロッカーの想定外の使用を禁止することは可能であるが、操作許可体によって仮施錠状態を解除する操作が必要である。このため、例えば、宅配ボックスによる荷物の受け渡しのように、荷物の預け入れを行う者（例えば、宅配業者）と、荷物の受け取りを行う者（例えば、荷物の届け出先の住人）が異なる場合には、双方が操作許可体を保有しなければならず、荷物の受け渡しのような利用態様には不向きである。
【０００５】
本発明は、このような従来の問題点を解決するためになされたものであって、宅配ボックスなどをイタズラ目的等で施錠状態にする等の迷惑行為を未然に防止することができる錠前制御システムおよび錠前制御装置を提供しようとするものである。
【課題を解決するための手段】
【０００６】
本発明に係る錠前制御システムは、第一の錠前と第二の錠前を有して構成された錠前制御システムであって、前記第一の錠前が解錠状態かつ前記第二の錠前が施錠状態の第一の状態と、前記第一の錠前が前記解錠状態かつ前記第二の錠前が解錠状態の第二の状態と、前記第一の錠前が施錠状態かつ前記第二の錠前が前記解錠状態の第三の状態と、を有し、前記第一の状態において、前記施錠状態の前記第二の錠前は、前記第一の錠前が前記解錠状態から前記施錠状態に移行するのを阻止するように構成され、前記第二の錠前を鍵で解錠することで前記第一の状態を前記第二の状態に移行させた場合に、前記解錠状態の前記第一の錠前は、前記第二の錠前を前記解錠状態に維持したまま該第二の錠前の鍵穴から前記鍵が抜かれることを阻止するように構成され、前記第一の錠前を施錠することで前記第二の状態を前記第三の状態に移行させた場合に、前記施錠状態の前記第一の錠前は、前記第二の錠前を前記解錠状態に維持したまま該第二の錠前の前記鍵穴から前記鍵が抜かれることを許容するように構成されている、ことを特徴とする錠前制御システムである。
【発明の効果】
【０００７】
本発明に係る錠前制御システムおよび錠前制御装置によれば、宅配ボックスなどをイタズラ目的等で施錠状態にする等の迷惑行為を未然に防止することができるという優れた効果を奏し得る。
【図面の簡単な説明】
【０００８】
【図１】錠前制御システムの全体を示す正面図である。
【図２】錠前制御システムの全体を示す背面図である。
【図３】錠前制御装置の分解斜視図である。
【図４】錠前制御装置の一部を透過して示す正面図である。
【図５】錠前制御装置の一部を透過して示す背面図である。
【図６】（ａ）「未使用状態」の錠前制御システムにおける主要部材を抜き出して示した外観斜視図である。（ｂ）「未使用状態」から「使用可能状態」に移行中の錠前制御システムにおける主要部材を抜き出して示した外観斜視図である。
【図７】（ａ）〜（ｃ）「未使用状態」から「使用可能状態」に移行中の錠前制御システム１０におけるセンスカムＦの動作を時系列で示した図である。
【図８】（ａ）「使用可能状態」において宅配ボックスの扉を開放した場合の錠前制御システムにおける主要部材を抜き出して示した外観斜視図である。（ｂ）、（ｃ）カムストッパ周辺を拡大して示す部分拡大図である。
【図９】（ａ）「使用可能状態」においてダイヤル錠を施錠した場合の錠前制御システムにおける主要部材を抜き出して示した外観斜視図である。（ｂ）「使用可能状態」においてダイヤル錠を解錠した場合の錠前制御システムにおける主要部材を抜き出して示した外観斜視図である。
【図１０】「使用状態」から「未使用状態」に移行中の錠前制御システムにおける主要部材を抜き出して示した外観斜視図である。
【発明を実施するための形態】
【０００９】
以下、図面を用いて、本実施形態に係る錠前制御システム１０について詳細に説明する。
【００１０】
＜全体構成＞
最初に、図１および図２を用いて、本実施形態に係る錠前制御システム１０の全体構成について説明する。図１は、錠前制御システム１０の全体を示す正面図であり、図２は、錠前制御システム１０の全体を示す背面図である。
【００１１】
本実施形態に係る錠前制御システム１０は、第一の錠前として機能するダイヤル錠２０と、第二の錠前として機能する錠前制御装置３０と、を有して構成される。この錠前制御システム１０は、図１に示すように、宅配ボックス１２の扉１２ａの戸先などに取り付けられて使用される。
【００１２】
なお、本例では、錠前制御装置（第二の錠前）３０を、ダイヤル錠（第一の錠前）２０の正面視上方に配置しているが、本発明に係る第一の錠前と第二の錠前の相対位置は、本例に限定されるものではなく、例えば、錠前制御装置（第二の錠前）３０を、ダイヤル錠（第一の錠前）２０の正面視下方に配置してもよい。
【００１３】
＜ダイヤル錠＞
次に、図１および図２を用いて、ダイヤル錠２０について詳細に説明する。ダイヤル錠２０は、複数のダイヤル２２を備えた施解錠機構２４と、この施解錠機構２４によって回動可能状態または回動不能状態となるツマミ２６と、このツマミ２６に固定された板状のカム２８と、を有して構成されている。カム２８は、ツマミ２６の回動に連動して、施錠位置（図１において点線で示す位置）と解錠位置（図２において実線で示す位置）との間を回動可能である。
【００１４】
＜ダイヤル錠／解錠状態、仮施錠状態、施錠状態＞
ダイヤル錠２０が施錠状態にある場合には、ダイヤル２２による操作を行い、ダイヤル２２に施された数字の組合せを予め定めた組み合わせ（暗証番号）に一致させると、施解錠機構２４によってツマミ２６が回動可能状態となる。この回動可能状態のツマミ２６を時計回りに回動すると、カム２８が施錠位置（図１において点線で示す位置）から解錠位置（図２において実線で示す位置）まで移動する。これにより、カム２８の先端が宅配ボックス１２の本体１２ｂから退出し、ダイヤル錠２０は施錠状態から解錠状態となる。
【００１５】
また、ダイヤル錠２０が解錠状態にある場合には、ツマミ２６を反時計回りに回動すると、カム２８が解錠位置（図２において実線で示す位置）から施錠位置（図１において点線で示す位置）まで移動する。これにより、カム２８の先端が宅配ボックス１２の本体１２ｂ側に突出し、ダイヤル錠２０は解錠状態から仮施錠状態（空錠状態。ツマミ２６を時計回りに回動することでダイヤル錠２０を解錠状態に戻すことができる状態）となる。
【００１６】
また、ダイヤル錠２０が仮施錠状態にある場合には、ダイヤル２２による操作を行い、ダイヤル２２に施された数字の組合せを予め定めた組み合わせ（暗証番号）に一致させないように変更すると、施解錠機構２４によってツマミ２６が回動不能状態となる。これにより、ツマミ２６の操作によるカム２８の移動が禁止され、ダイヤル錠２０は仮施錠状態から施錠状態となる。
【００１７】
したがって、ダイヤル錠２０を単独で使用した場合（錠前制御装置３０と一緒に使用しない場合）には、ダイヤル錠２０が解錠状態（または仮施錠状態）にあるときは、宅配ボックス１２の扉１２ａが開閉可能であり、ダイヤル錠２０が施錠状態にあるときは、宅配ボックス１２の扉１２ａが開閉不能である。
【００１８】
＜錠前制御装置＞
次に、図１および図２を用いて、錠前制御装置３０について詳細に説明する。この錠前制御装置３０は、箱状体のケース３２と、このケース３２の開口部を覆うように配設される化粧板３４と、この化粧板３４に形成された外筒３４ａ（図３参照）と内筒３６によって構成されるシリンダ錠３８と、ケース３２と化粧板３４によって形成される内側空間に収容される施解錠機構５０（図３参照。詳細は後述）と、この施解錠機構５０によってスライドされるスライドカム４０と、を有して構成されている。スライドカム４０は、シリンダ錠３８の回動に連動して、施錠位置（図１において点線で示す位置）と解錠位置（図６（ｂ）で示す位置）との間を回動可能である。
【００１９】
＜錠前制御装置／解錠状態、施錠状態＞
錠前制御装置３０が施錠状態にある場合には、シリンダ錠３８に所定の鍵を挿入して時計回りに回転すると、施解錠機構５０によってスライドカム４０が施錠位置（図１において点線で示す位置）から解錠位置（図６（ｂ）で示す位置）まで移動する。これにより、スライドカム４０の先端が宅配ボックス１２の本体１２ｂから退出し、錠前制御装置３０は施錠状態から解錠状態となる。
【００２０】
また、錠前制御装置３０が解錠状態にあり、かつ扉１２ａが開放状態にある場合には、扉１２ａを閉めることにより、施解錠機構５０によってスライドカム４０が解錠位置（図６（ｂ）で示す位置）から施錠位置（図１において点線で示す位置）まで移動する。これにより、スライドカム４０の先端が宅配ボックス１２の本体１２ｂ側に突出し、錠前制御装置３０は解錠状態から施錠状態（オートロック状態）となる（詳細は後述）。
【００２１】
＜錠前制御装置／施解錠機構＞
次に、図３〜図５を用いて、錠前制御装置３０の施解錠機構５０について詳細に説明する。図３は、錠前制御装置３０の分解斜視図であり、図４は、錠前制御装置３０の一部を透過して示す正面図であり、図５は、錠前制御装置３０の一部を透過して示す背面図である。
【００２２】
錠前制御装置３０の施解錠機構５０は、板状の仕切板５２を有し、図３および図４に示すように、この仕切板５２と化粧板３４によって形成される内側空間には、シリンダ錠３８の内筒３６の端部に嵌合されるシリンダーカム５４と、このシリンダーカム５４によって仕切板５２に沿って所定方向にスライド駆動されるスライドプレート５６と、シリンダーカム５４とスライドプレート５６の間に所定の隙間を形成するスペーサ５８が配設される。
【００２３】
また、図３および図５に示すように、仕切板５２とケース３２によって形成される内側空間には、仕切板５２にスライド可能に配設されるＬプレート６０と、このＬプレート６０にカシメピン６１を介して回動可能に配設されるセンスカムＡ６２と、Ｌプレート６０に回動可能に配設されるセンスカムＣ６４と、このセンスカムＣ６４と係合可能なセンスカムＥ６６と、このセンスカムＥ６６に回動可能に配設されるカムストッパ６８と、このカムストッパ６８に係合可能なセンスカムＦ７０と、宅配ボックス１２の扉１２ａと接触可能な位置に配設される扉センス７２が配設される。
【００２４】
＜錠前制御システムの動作＞
次に、図６〜図１０を用いて、錠前制御システム１０の動作について詳細に説明する。錠前制御システム１０の動作状態は、ダイヤル錠２０が解錠状態かつ錠前制御装置３０が施錠状態の「未使用状態」と、ダイヤル錠２０が解錠状態かつ錠前制御装置３０が解錠状態の「使用可能状態」と、ダイヤル錠２０が施錠状態かつ錠前制御装置３０が解錠状態の「使用状態」と、に大別することができる。
【００２５】
＜錠前制御システムの動作／未使用状態＞
図６（ａ）は、「未使用状態」の錠前制御システム１０における主要部材を抜き出して示した外観斜視図である。
【００２６】
図６（ａ）に示すように、錠前制御システム１０の「未使用状態」では、ダイヤル錠２０のカム２８は解錠位置（宅配ボックス１２の本体１２ｂから退出した位置）にあり、ダイヤル錠２０は解錠状態となっている。一方、錠前制御装置３０のスライドカム４０は施錠位置（宅配ボックス１２の本体１２ｂ側に突出した位置）にあり、錠前制御装置３０は施錠状態となっている。
【００２７】
この「未使用状態」では、ダイヤル錠２０は解錠状態であるが、錠前制御装置３０は施錠状態であるため、宅配ボックス１２の扉１２ａを開閉することはできず、宅配ボックス１２は使用不可能である。
【００２８】
宅配ボックスにダイヤル錠２０のみを取り付けた場合、ダイヤル錠２０が解錠状態であれば宅配ボックスを自由に使用することができるため、例えば、宅配ボックスの想定外の使用行為（例えば、私物の保管に使用するような行為）が行われるおそれがあるが、錠前制御システム１０によれば、「未使用状態」にすることで宅配ボックスを一時的に使用不可能な状態にすることができるため、宅配ボックスの想定外の使用行為を未然に防止することができ、宅配ボックスを本来の使用用途のためだけに使用させることができ、宅配ボックスの管理を楽にすることができる。
【００２９】
また、この「未使用状態」では、カムストッパ６８がコイルスプリング（図示省略）によって符号Ａで示す方向に付勢され、ダイヤル錠２０のカム２８に係合し、カム２８の回動を阻止している。このため、錠前制御システム１０の「未使用状態」では、ダイヤル錠２０を解錠状態から仮施錠状態および施錠状態に移行させることができない。
【００３０】
ダイヤル錠２０の施解錠を制限しない場合、例えば、宅配ボックスを利用しないにも関わらずダイヤル錠２０を故意に施錠状態にする等の迷惑行為が発生するおそれがあるが、錠前制御システム１０によれば、「未使用状態」ではダイヤル錠２０を解錠状態から仮施錠状態および施錠状態に移行させることができないため、ダイヤル錠２０をイタズラ目的等で施錠状態にする等の迷惑行為を未然に防止することができ、宅配ボックスを有効活用することができる。
【００３１】
＜錠前制御システムの動作／未使用状態→使用可能状態＞
図６（ｂ）は、「未使用状態」から「使用可能状態」に移行中の錠前制御システム１０における主要部材を抜き出して示した外観斜視図である。
【００３２】
シリンダ錠３８に所定の鍵を挿入し、図６（ｂ）に示すように、内筒３６を符号Ｂで示す方向（時計回り）に回転すると、内筒３６に嵌合されたシリンダーカム５４が内筒３６とともに回動し、このシリンダーカム５４に嵌合されたスライドプレート５６が、仕切板５２に沿って符号Ｃで示す方向にスライドする。
【００３３】
また、スライドプレート５６が符号Ｃで示す方向にスライドすると、仕切板５２を挟んでスライドプレート５６の反対側に配置されたセンスカムＡ６２が、スライドプレート５６に押され、カシメピン６１を回転軸として仕切板５２から離反する方向に回動する。これにより、扉センス７２とセンスカムＡ６２との係合が解除され、センスカムＡ６２とＬプレート６０が、スプリング（図示省略）に付勢されて、符号Ｄで示す方向にスライドする。
【００３４】
また、スライドプレート５６が符号Ｃで示す方向にスライドすると、仕切板５２を挟んでスライドプレート５６の反対側に配置されたスライドカム４０が、スライドプレート５６に突出形成された突出部５６ａに押され、符号Ｅで示す方向にスライドした後、センスカムＣ６４と係合し、解錠位置（宅配ボックス１２の本体１２ｂから退出した位置）で固定（ロック）される。
【００３５】
これにより、錠前制御装置３０は施錠状態から解錠状態に移行し、錠前制御システム１０は、ダイヤル錠２０が解錠状態かつ錠前制御装置３０が解錠状態の「使用可能状態」となる。
【００３６】
この「使用可能状態」では、ダイヤル錠２０と錠前制御装置３０の両方が解錠状態であるため、宅配ボックス１２の扉１２ａを開閉することが可能で、宅配ボックス１２の利用が可能となる。よって、荷物の預け入れを行う者（例えば、宅配業者）がシリンダ錠３８のキーコードに合致する鍵を所持していれば、宅配ボックス１２に荷物の預け入れを行うことができる。
【００３７】
換言すれば、シリンダ錠３８のキーコードに合致する鍵を所持していない者は、宅配ボックス１２を利用することができないため、例えば、宅配ボックスの想定外の使用行為（例えば、私物の保管に使用するような行為）や、宅配ボックスを故意に施錠状態にする等の迷惑行為を確実に防止することができる。
【００３８】
また、図７（ａ）〜同図（ｃ）は、「未使用状態」から「使用可能状態」に移行中の錠前制御システム１０におけるセンスカムＦ７０の動作を時系列で示した図である。
【００３９】
スライドプレート５６が符号Ｃで示す方向にスライドすると、仕切板５２を挟んでスライドプレート５６の反対側に配置されたセンスカムＦ７０の一端部７０ａが、スライドプレート５６の側面に押され、センスカムＦ７０が、カムストッパ６８を回転軸として符号Ｆで示す方向に回動する。これにより、図７（ｃ）に示すように、センスカムＦ７０の他端部７０ｂが、仕切板５２を超えて化粧板３４の方向に突出する。また、センスカムＦ７０は、ダイヤル錠２０のカム２８によって、符号Ｆで示す方向と逆方向（符号Ｆ'で示す方向）への回動が制限される。
【００４０】
このとき、シリンダ錠３８に挿入されている鍵で、内筒３６を反時計回りに回転して初期位置（鍵の抜き差しができる位置）に戻そうとした場合、スライドプレート５６が符号Ｃで示す方向と逆方向にスライドしようとする。ところが、センスカムＦ７０はカム２８によって符号Ｆ'で示す方向の回動が制限されているため、スライドプレート５６は、センスカムＦ７０によって符号Ｃで示す方向と逆方向のスライドが阻止される。この結果、内筒３６を解錠位置から初期位置まで回転させることができないため、シリンダ錠３８から鍵を抜くことができない。
【００４１】
このように、錠前制御システム１０では、「使用可能状態」にある場合には、ダイヤル錠２０を解錠状態から施錠状態にしない限りシリンダ錠３８から鍵を抜くことができないため、荷物の預け入れを行う者（例えば、宅配業者）によるダイヤル錠２０の施錠忘れを確実に回避することができ、防犯効果を高めることができる。
【００４２】
＜錠前制御システムの動作／使用可能状態における扉の開放＞
図８（ａ）は、「使用可能状態」において宅配ボックス１２の扉１２ａを開放した場合の錠前制御システム１０における主要部材を抜き出して示した外観斜視図である。
【００４３】
「未使用状態」において宅配ボックス１２の扉１２ａを開放すると、センスカムＡ６２との係合が解除されている扉センス７２が、スプリング（図示省略）に付勢されて、符号Ｇで示す方向にスライドする。これにより、扉センス７２に押圧されて回動が制限されていたセンスカムＥ６６が、コイルスプリング（図示省略）に付勢されて、符号Ｈで示す方向に回動する。
【００４４】
センスカムＥ６６が回動すると、このセンスカムＥ６６にコイルスプリング（図示省略）を介して配設されたカムストッパ６８が、図８（ｂ）、（ｃ）に示すように、符号Ｉで示す方向に回動する。これにより、カムストッパ６８と、ダイヤル錠２０のカム２８との係合が解除され、カム２８の回動が可能となり、ダイヤル錠２０を解錠状態から仮施錠状態および施錠状態に移行させることが可能となる。
【００４５】
＜錠前制御システムの動作／使用可能状態→使用状態＞
図９（ａ）は、「使用可能状態」においてダイヤル錠２０を施錠した場合の錠前制御システム１０における主要部材を抜き出して示した外観斜視図である。
【００４６】
宅配ボックス１２の扉１２ａを閉鎖し、ダイヤル錠２０のツマミ２６を反時計回りに回動すると、カム２８が符号Ｊで示す方向に回動し、解錠位置から施錠位置まで移動する。これにより、カム２８の先端が宅配ボックス１２の本体１２ｂ側に突出し、ダイヤル錠２０は解錠状態から仮施錠状態となる。
【００４７】
また、この仮施錠状態にある場合に、ダイヤル錠２０に対して暗証番号の設定を行った後、ダイヤル２２による操作を行い、ダイヤル２２に施された数字の組合せを暗証番号に一致させないように変更すると、ダイヤル錠２０は仮施錠状態から施錠状態に移行する。
【００４８】
これにより、ダイヤル錠２０は解錠状態から施錠状態に移行し、錠前制御システム１０は、ダイヤル錠２０が施錠状態かつ錠前制御装置３０が解錠状態の「使用状態」となる。
【００４９】
なお、カム２８が施錠位置に移動することで、カム２８によって回動が制限されていたセンスカムＦ７０が符号Ｋで示す方向に回動可能な状態となるため、内筒３６を解錠位置から初期位置（鍵の抜き差しができる位置）まで回転させることができ、シリンダ錠３８から鍵を抜くことができる。
【００５０】
荷物の預け入れを行う者（例えば、宅配業者）は、宅配ボックス１２に荷物の預け入れを行った後、ダイヤル錠２０に対して暗証番号を設定してダイヤル錠２０を施錠状態にし、錠前制御装置３０の内筒３６を解錠位置から初期位置まで回転させて鍵を抜き、ダイヤル錠２０に設定した暗証番号を、荷物の受け取りを行う者（例えば、荷物の届け出先の住人）に連絡する。
【００５１】
＜錠前制御システムの動作／使用可能状態におけるダイヤル錠の解錠＞
図９（ｂ）は、「使用可能状態」においてダイヤル錠２０を解錠した場合の錠前制御システム１０における主要部材を抜き出して示した外観斜視図である。
【００５２】
ダイヤル錠２０のダイヤル２２による操作を行い、ダイヤル２２に施された数字の組合せを暗証番号に一致させると、ツマミ２６が回動可能状態となり、この回動可能状態のツマミ２６を時計回りに回動すると、カム２８が施錠位置から解錠位置まで移動する。これにより、カム２８の先端が宅配ボックス１２の本体１２ｂから退出し、ダイヤル錠２０は施錠状態から解錠状態となる。また、カム２８が施錠位置から解錠位置まで移動すると、カム２８に押されたセンスカムＦ７０が、図９（ｂ）に示すように、符号Ｌで示す方向に回動し、初期位置に戻る。
【００５３】
荷物の受け取りを行う者（例えば、荷物の届け出先の住人）は、ダイヤル錠２０のダイヤル２２による操作を行い、ダイヤル２２に施された数字の組合せを、荷物の預け入れを行う者（例えば、宅配業者）から通知された暗証番号に一致させてダイヤル錠２０を解錠状態にし、宅配ボックス１２に保管された荷物を受け取る。
【００５４】
＜錠前制御システムの動作／使用状態→未使用状態＞
図１０は、「使用状態」から「未使用状態」に移行中の錠前制御システム１０における主要部材を抜き出して示した外観斜視図である。
【００５５】
ダイヤル錠２０が解錠状態となり、センスカムＦ７０が初期位置に戻った状態で宅配ボックス１２の扉１２ａを閉鎖すると、扉センス７２が扉１２ａに押されて符号Ｍに示す方向にスライドするとともに、扉センス７２に係合するセンスカムＡ６２を介してＬプレート６０も同方向にスライドし、センスカムＣ６４が符号Ｎで示す方向に回動する。センスカムＣ６４が回動すると、センスカムＣ６４とスライドカム４０との係合（ロック）が解除され、スライドカム４０はスプリング（図示省略）に付勢され、符号Ｏで示す方向にスライドする。この結果、スライドカム４０の先端が宅配ボックス１２の本体１２ｂ側に突出し、錠前制御装置３０は解錠状態から施錠状態（オートロック状態）となる。
【００５６】
これにより、錠前制御装置３０は解錠状態から施錠状態（オートロック状態）に移行し、錠前制御システム１０は、上記図６（ａ）を用いて説明した「未使用状態」となる。
【００５７】
以上説明したように、本実施形態に係る錠前制御システム（例えば、錠前制御システム１０）は、第一の錠前（例えば、ダイヤル錠２０）と第二の錠前（例えば、錠前制御装置３０）を有して構成された錠前制御システムであって、前記第一の錠前が解錠状態かつ前記第二の錠前が施錠状態の第一の状態（例えば、未使用状態）と、前記第一の錠前が前記解錠状態かつ前記第二の錠前が解錠状態の第二の状態（例えば、使用可能状態）と、前記第一の錠前が施錠状態かつ前記第二の錠前が前記解錠状態の第三の状態（例えば、使用状態）と、を有し、前記第一の状態において、前記第二の錠前は、前記第一の錠前が前記解錠状態から前記施錠状態に移行するのを阻止（例えば、錠前制御装置３０のカムストッパ６８によってダイヤル錠２０のカム２８の回動を阻止）するように構成されている、ことを特徴とする錠前制御システムである。
【００５８】
本実施形態に係る錠前制御システムによれば、第一の状態では第一の錠前を解錠状態から施錠状態に移行させることができないため、第一の状態に移行させることで、第一の錠前をイタズラ目的等で施錠状態にする等の迷惑行為を未然に防止することができ、宅配ボックスを有効活用することができる。
【００５９】
また、前記第二の錠前の鍵を用いて前記第一の状態を前記第二の状態に移行させた場合に、該第二の状態では前記鍵を鍵穴から抜くことができないように構成されていてもよい。
【００６０】
このような構成とすれば、第二の状態において、第一の錠前の施錠忘れを確実に回避することができ、防犯効果を高めることができる。
【００６１】
また、前記第二の状態を前記第三の状態に移行させた場合にのみ、前記鍵を前記鍵穴から抜くことができるように構成されていてもよい。
【００６２】
このような構成とすれば、第二の状態において、第一の錠前を確実に施錠させることができ、防犯効果を高めることができる。
【００６３】
また、前記第二の錠前は、扉の閉鎖を少なくとも検知可能な扉センス（例えば、扉センス７２）を備え、前記第二の錠前は、前記扉センスによって前記扉の閉鎖を検知した場合に、前記解錠状態から前記施錠状態に移行するように構成されていてもよい。
【００６４】
このような構成とすれば、扉の閉鎖によって第二の錠前を施錠状態に移行させることができ、利便性を高めることができる。
また、本実施形態に係る錠前制御システム（例えば、錠前制御システム１０）は、第一の錠前（例えば、ダイヤル錠２０）と第二の錠前（例えば、錠前制御装置３０）を有して構成された錠前制御システムであって、前記第一の錠前が解錠状態かつ前記第二の錠前が施錠状態の第一の状態（例えば、未使用状態）と、前記第一の錠前が前記解錠状態かつ前記第二の錠前が解錠状態の第二の状態（例えば、使用可能状態）と、前記第一の錠前が施錠状態かつ前記第二の錠前が前記解錠状態の第三の状態（例えば、使用状態）と、を有し、前記第一の状態において、前記施錠状態の前記第二の錠前は、前記第一の錠前が前記解錠状態から前記施錠状態に移行するのを阻止（例えば、錠前制御装置３０のカムストッパ６８によってダイヤル錠２０のカム２８の回動を阻止）するように構成され、前記第二の錠前を鍵で解錠することで前記第一の状態を前記第二の状態に移行させた場合に、前記解錠状態の前記第一の錠前は、前記第二の錠前を前記解錠状態に維持したまま該第二の錠前の鍵穴から前記鍵が抜かれることを阻止するように構成され、前記第一の錠前を施錠することで前記第二の状態を前記第三の状態に移行させた場合に、前記施錠状態の前記第一の錠前は、前記第二の錠前を前記解錠状態に維持したまま該第二の錠前の前記鍵穴から前記鍵が抜かれることを許容するように構成されている、ことを特徴とする錠前制御システムである。
本実施形態に係る錠前制御システムによれば、第一の状態では第一の錠前を解錠状態から施錠状態に移行させることができないため、第一の状態に移行させることで、第一の錠前をイタズラ目的等で施錠状態にする等の迷惑行為を未然に防止することができ、宅配ボックスを有効活用することができる。
また、第一の錠前と第二の錠前の両方が解錠状態となっている第二の状態にある場合には、一方の第一の錠前を解錠状態から施錠状態にしない限り、他方の第二の錠前から鍵を抜くことができないため、荷物の預け入れを行う者（例えば、宅配業者）による第一の錠前の施錠忘れを確実に回避することができ、防犯効果を高めることができる。また、一方の第一の錠前の施解錠によって、他方の第二の錠前を解錠状態に維持したまま該第二の錠前の鍵の抜き差しの制御を行うことができるため、荷物の受け取りを行う者（例えば、荷物の届け出先の住人）は、第一の錠前を解錠するだけで、宅配ボックス等に保管された荷物を受け取ることができ、防犯効果に加えて、利便性を高めることができる。
【００６５】
なお、本発明に係る錠前制御システムおよび錠前制御装置の構成は、上記実施形態に係る錠前制御システム１０および錠前制御装置３０の構成に限定されるものではなく、例えば、第一の錠前はダイヤル錠に限定されるものではない。
【００６６】
また、本発明の実施の形態に記載された作用および効果は、本発明から生じる最も好適な作用および効果を列挙したに過ぎず、本発明による作用および効果は、本発明の実施の形態に記載されたものに限定されるものではない。
【産業上の利用可能性】
【００６７】
本発明に係る錠前制御システムおよび錠前制御装置は、宅配ボックスなどに適用することができる。
【符号の説明】
【００６８】
１０  錠前制御システム
１２  宅配ボックス
１２ａ  扉
１２ｂ  本体
２０  ダイヤル錠
２２  ダイヤル
２４  施解錠機構
２６  ツマミ
２８  カム
３０  錠前制御装置
３２  ケース
３４  化粧板
３４ａ  外筒
３６  内筒
４０  スライドカム
５０  施解錠機構
５２  仕切板
５４  シリンダーカム
５６  スライドプレート
５８  スペーサ
６０  プレート
６２  センスカムＡ
６４  センスカムＣ
６６  センスカムＥ
６８  カムストッパ
７０  センスカムＦ
７２  扉センス
【図１】
0006735966.tif 000002
【図２】
0006735966.tif 000003
【図３】
0006735966.tif 000004
【図４】
0006735966.tif 000005
【図５】
0006735966.tif 000006
【図６】
0006735966.tif 000007
【図７】
0006735966.tif 000008
【図８】
0006735966.tif 000009
【図９】
0006735966.tif 000010
【図１０】
0006735966.tif 000011